(57)【要約】【課題】より効果的な目周りのケアが可能となることを期待できる目周りケア装置を提供する。【解決手段】目周りケア装置１００は、使用者に視られる被視体を保持する保持体（例えば、筐体１０）と、目周りのケア機能を有する目周りケア材（例えば、美容シート９０）と、を備えている。【選択図】図４
2018023620.tif 000002
【特許請求の範囲】
【請求項１】
使用者に視られる被視体を保持する保持体と、
目周りのケア機能を有する目周りケア材と、
を備える目周りケア装置。
【請求項２】
前記保持体は、
使用者の眼と対応する覗き窓を有する面状の接眼部と、
前記接眼部と対向配置され、前記被視体を保持する被視体保持部と、
を備えている請求項１に記載の目周りケア装置。
【請求項３】
前記接眼部の横幅方向における中央部が前記被視体保持部側に向けて窪んでいる請求項２に記載の目周りケア装置。
【請求項４】
前記目周りケア材は、シート体であり、
前記保持体は、前記シート体を保持するシート体保持部を備えている請求項１から３のいずれか一項に記載の目周りケア装置。
【請求項５】
前記シート体保持部は、前記保持体に形成されたスリットである請求項４に記載の目周りケア装置。
【請求項６】
前記シート体は、使用者の眼と対応する一対のシート開口を有する請求項５に記載の目周りケア装置。
【請求項７】
前記保持体と前記目周りケア材とが同梱されている請求項１から６のいずれか一項に記載の目周りケア装置。
【請求項８】
前記保持体は筐体であり、
前記保持体に前記目周りケア材が収容されている請求項１から６のいずれか一項に記載の目周りケア装置。
【請求項９】
前記被視体は、画像表示体である請求項１から８のいずれか一項に記載の目周りケア装置。
【請求項１０】
使用者に視られる被視体を保持する保持体を用いて前記使用者の目周りのケアを行う方法であって、
前記保持体は、
使用者の眼と対応する覗き窓を有する面状の接眼部と、
前記接眼部と対向配置され、前記被視体を保持する被視体保持部と、
を備えており、
当該方法は、目周りのケア機能を有する目周りケア材を用いた目周りのケアと並行して、前記被視体保持部に保持されている前記被視体を前記接眼部の前記覗き窓を介して視させる工程を備えている目周りケア方法。
【発明の詳細な説明】
【技術分野】
【０００１】
本発明は、目周りケア装置及び目周りケア方法に関する。
【背景技術】
【０００２】
従来の目周りケア用品としては、例えば特許文献１に記載されているように、皮膚に貼り付けて用いられるものなどがある。
【先行技術文献】
【特許文献】
【０００３】
【特許文献１】特開２００８−１４３８７６号公報
【発明の概要】
【発明が解決しようとする課題】
【０００４】
しかしながら、本発明者等の検討によれば、特許文献１に記載されたような目周りケア用品を用いた目周りのケアには、なお改善の余地がある。
【０００５】
本発明は、上記の課題に鑑みてなされたものであり、より効果的な目周りのケアが可能となることを期待できる目周りケア装置及び目周りケア方法に関する。
【課題を解決するための手段】
【０００６】
本発明は、使用者に視られる被視体を保持する保持体と、
目周りのケア機能を有する目周りケア材と、
を備える目周りケア装置を提供する。
【０００７】
また、本発明は、使用者に視られる被視体を保持する保持体を用いて前記使用者の目周りのケアを行う方法であって、
前記保持体は、
使用者の眼と対応する覗き窓を有する面状の接眼部と、
前記接眼部と対向配置され、前記被視体を保持する被視体保持部と、
を備えており、
当該方法は、目周りのケア機能を有する目周りケア材を用いた目周りのケアと並行して、前記被視体保持部に保持されている前記被視体を前記接眼部の前記覗き窓を介して視させる工程を備えている目周りケア方法を提供する。
【発明の効果】
【０００８】
本発明によれば、より効果的な目周りのケアが可能となることを期待できる。
【図面の簡単な説明】
【０００９】
【図１】図１（ａ）及び図１（ｂ）は第１の実施形態に係る目周りケア装置の保持体としての筐体を示す斜視図である。
【図２】図２（ａ）は図１（ａ）のＡ−Ａ線に沿った断面図であり、図２（ｂ）は図１（ａ）のＢ−Ｂ線に沿った断面図である。
【図３】図３（ａ）は筐体を構成する筐体構成シートの平面図であり、図３（ｂ）は筐体構成シートを含む原反シートの平面図である。
【図４】図４（ａ）は筐体内に収容されるレンズ保持部材の平面図であり、図４（ｂ）は図４（ａ）のＢ−Ｂ線に沿った断面図である。
【図５】図５（ａ）は筐体内に収容される暗色シートの平面図であり、図５（ｂ）は暗色シートを含む原反シートの平面図である。
【図６】図６（ａ）は第１の実施形態に係る目周りケア装置の目周りケア材としての美容シートを示す平面図であり、図６（ｂ）は美容シートを収容しているシートパッケージを示す側面図である。
【図７】図７（ａ）は第１の実施形態に係る目周りケア装置の保持体としての筐体の正面図であり、図７（ｂ）は筐体が美容シートを保持している状態を示す正面図である。
【図８】被視体としての画像表示体が表示する画像の例を示す図である。
【図９】図９（ａ）は第１の実施形態の変形例１に係る目周りケア装置の保持体としての筐体の正面図であり、図９（ｂ）は第１の実施形態の変形例１の筐体が美容シートを保持している状態を示す正面図である。
【図１０】図１０（ａ）は第１の実施形態の変形例２に係る目周りケア装置の保持体としての筐体の正面図であり、図１０（ｂ）は第１の実施形態の変形例２の筐体が美容シートを保持している状態を示す正面図である。
【図１１】第２の実施形態に係る目周りケア装置の模式的な斜視図である。
【図１２】第２の実施形態の変形例に係る目周りケア装置の側断面図である。
【図１３】図１３（ａ）は第３の実施形態に係る目周りケア装置の保持体としての筐体の斜視図であり、図１３（ｂ）は第３の実施形態の筐体が美容シートを保持している状態を示す下面図である。
【図１４】図１４（ａ）は第３の実施形態の変形例に係る目周りケア装置の保持体としての筐体の斜視図であり、図１４（ｂ）は第３の実施形態の変形例の筐体が美容シートを保持している状態を示す下面図である。
【図１５】第４の実施形態に係る目周りケア装置の下面図である。
【発明を実施するための形態】
【００１０】
以下、本発明の実施形態について、図面を用いて説明する。なお、すべての図面において、同様の構成要素には同一の符号を付し、重複する説明は適宜に省略する。
【００１１】
〔第１の実施形態〕
先ず、図１（ａ）から図８（ｂ）を参照して第１の実施形態を説明する。
本実施形態において、目周りケア装置１００の各構成要素の位置関係（上下関係及び前後関係等）の説明は、特に断りのない場合は、使用時において使用者を基準とした位置関係を説明したものである。そして、目周りケア装置１００の筐体１０において、使用時に使用者の顔面と相対する方の面（後述する接眼部１１）を正面（前面）とし、正面に対する反対側の面（後述する背面部１７）を背面（後面）とする。
ただし、目周りケア装置１００の各構成要素の位置関係について、各図に示される位置関係を説明する場合もある。
【００１２】
本実施形態に係る目周りケア装置１００は、使用者に視られる被視体（本実施形態の場合、表示画面２１に画像を表示する携帯情報端末２０）を保持する保持体（本実施形態の場合、筐体１０）と、目周りのケア機能を有する目周りケア材（本実施形態の場合、美容シート９０（図１（ａ）、図１（ｂ）、図６（ａ）、図７（ｂ））と、を備えている。
【００１３】
ここで、被視体とは、例えば、動画又は静止画を表示する表示装置であってもよいし、静止画を表示する紙やパネル等（つまり写真等）であってもよい。すなわち、被視体は、画像表示体である。
動画又は静止画としては、例えば、眼球運動を促進するものを用いることができる。眼球運動を促進する動画又は静止画としては、例えば、三次元映像又は三次元画像が挙げられる。
例えば、物体が移動する動画を表示させた場合、当該物体を使用者の眼が追いかけることにより、眼球の移動（上下、左右移動）や、水晶体の緊張及び弛緩が繰り返されるようにできるため、眼の筋力を鍛え、目周りの筋力低下による目元の印象低下を改善できることが期待できる。また、眼の焦点を合わせることによって所定の三次元像を視認可能となるような三次元映像又は三次元画像を表示させた場合にも、水晶体の緊張又は弛緩が行われることによって、同様に、眼の筋力を鍛えることができる。更には、単なる静止画であっても、使用者が自ずと画像の隅々まで見渡したり焦点を合わせたりすることによって、使用者の眼の筋力を鍛えることが可能である。
このような動画又は静止画としては、ＶＲ（Ｖｉｒｔｕａｌ  Ｒｅａｌｉｔｙ）を表現したものや、ＡＲ（Ａｕｇｍｅｎｔｅｄ  Ｒｅａｌｉｔｙ）を表現したものが挙げられる。
被視体は、可搬性のものであることが好ましい。図１（ａ）に示すように、本実施形態の場合、被視体は、画像を表示する表示画面２１を有する携帯情報端末２０（例えばスマートフォン）である。
なお、本発明は、この例に限らず、被視体は、何らかのものを模した模型（人形や、動物の模型など）や装飾体などのように、画像表示体以外の物体であってもよい。
【００１４】
図１（ａ）、図１（ｂ）、図２（ａ）及び図２（ｂ）のいずれかに示すように、本実施形態の場合、目周りケア装置１００は、保持体としての筐体１０を備えている。
筐体１０は、接眼部１１、天面部１４、一対の側面部１６、背面部１７及び底面部１８により構成された直方体状の部分と、接眼部１１の周囲を覆っている覆い部１５と、を備えて構成されている。
接眼部１１、天面部１４、側面部１６、側面部１６及び底面部１８は、それぞれ面状（本実施形態の場合、平面状）に形成されている。接眼部１１と背面部１７とは互いに対向しており、一対の側面部１６は互いに対向しており、天面部１４と底面部１８とは互いに対向している。
このように、保持体は、接眼部１１と、接眼部１１と対向して配置された背面部１７と、左右一対の側面部１６と、天面部１４と、底面部１８と、を有する直方体形状の筐体１０である。
接眼部１１は、使用時に使用者の顔と相対する部位である。接眼部１１には、使用者の左右の眼とそれぞれ対応する一対の円形又は楕円形などの形状の覗き窓１２が形成されている。なお、ここでは、接眼部１１が一対の覗き窓１２を有する例を説明するが、本発明は、この例に限らず、接眼部１１が横長の長円形又は矩形などの形状の一つの覗き窓１２を有していて、この一つの覗き窓１２を介して左右の眼で筐体１０の内部を覗き込むことができるようになっていてもよい。
【００１５】
更に、筐体１０には、使用時に使用者の鼻の少なくとも一部分が入り込む鼻よけ部１３が、接眼部１１から底面部１８に亘って形成されている（図１（ａ）、図２（ｂ））。
覆い部１５は、天面部１４から前方（使用者からみて手前側）に向けて庇状に延出している上方覆い部１５ａと、左右の側面部１６から前方（使用者からみて手前側）に向けて延出している側方覆い部１５ｂと、を含んで構成されている。例えば、上方覆い部１５ａと側方覆い部１５ｂとは相互に連続的に形成されている。なお、覆い部１５は、上方覆い部１５ａ又は側方覆い部１５ｂを有していなくてもよいし、筐体１０は覆い部１５を有していなくてもよい。
筐体１０の背面側には、携帯情報端末２０を収容する被視体保持部１９が形成されている。被視体保持部１９は、携帯情報端末２０の厚みよりも前後幅が若干大きい空洞である。被視体保持部１９は、例えば、左右両端が外部に開放している。筐体１０の側方から被視体保持部１９内に携帯情報端末２０を差し入れることにより、筐体１０によって携帯情報端末２０を保持させることができるようになっている。
【００１６】
このように、保持体（筐体１０）は、使用者の眼と対応する覗き窓１２を有する面状の接眼部１１と、接眼部１１と対向配置され、被視体を保持する被視体保持部１９と、を備えている。
【００１７】
一例として、筐体１０は、図３（ａ）に示す筐体構成シート３０を折り曲げて組み立てることによって構成されている。筐体構成シート３０の材料は特に限定されないが、例えば、紙とすることができる。
【００１８】
筐体構成シート３０は、例えば、第１天面構成部３１、背面構成部３２、第１底面構成部３３、前面構成部３４、第２天面構成部３５、収容部構成部３６、第２底面構成部３７、一対の側面構成部３８、一対の差し込み片３９、一対の折り曲げ片４０、一対の折り曲げ片４１、及び、一対の折り曲げ片４２を備えて構成されている。
第１天面構成部３１は、第２天面構成部３５とともに天面部１４を構成する部分である。
背面構成部３２は、背面部１７を構成する部分である。
第１底面構成部３３は、第２底面構成部３７とともに底面部１８を構成する部分である。第１底面構成部３３には、鼻よけ部１３を構成する切欠形状部４４が形成されている。
前面構成部３４は、接眼部１１を構成する部分である。前面構成部３４には、覗き窓１２を構成する一対の開口４３と、鼻よけ部１３を構成する切欠形状部４５と、が形成されている。
なお、切欠形状部４４、４５は相互に連続しており、これら切欠形状部４４、４５の総体は、筐体構成シート３０に形成された開口となっている。
収容部構成部３６は、背面構成部３２に対して平行に、背面構成部３２の前方に配置される部分である（図２（ａ）、（ｂ））。収容部構成部３６と背面構成部３２との間隙が被視体保持部１９を構成する。収容部構成部３６には、矩形状などの形状の開口４７が形成されている。使用者が覗き窓１２を介して筐体１０の内部を覗くことによって、開口４７を介して携帯情報端末２０の表示画面２１を視認可能となるようになっている。使用者が閉空間である筐体１０の中を覗き込んで表示画面２１を視るようにすることによって、没入感を生じさせることができる。
一対の側面構成部３８は、それぞれ側面部１６を構成する部分である。
【００１９】
筐体構成シート３０において、上記の各部の境界線（図３（ａ）において点線で示されている部分）は、折り曲げ線となっている。筐体構成シート３０は、各折り曲げ線において９０度折り曲げられて（図３（ａ）において山折りされて）、例えば、第２天面構成部３５が第１天面構成部３１の内面に対して接着されるとともに、第２底面構成部３７が第１底面構成部３３の内面に対して接着されている。
また、収容部構成部３６と各折り曲げ片４２との境界線に沿って、スリット４６が形成されている。これらスリット４６に対して、それぞれ差し込み片３９が差し込まれている。
こうして、筐体１０が構成されている。
なお、筐体構成シート３０は、図３（ｂ）に示す原反シート５０から、ミシン目に沿って切除予定部５１、５２、５３、５４、５５を切除することによって得られる。
【００２０】
図２（ａ）及び図２（ｂ）に示すように、筐体１０は、内部に空洞１０ａが形成されている。
空洞１０ａ内において、筐体１０の前面側の部分には、板状のレンズ保持部材８０が設けられている。
図４（ａ）及び図４（ｂ）に示すように、レンズ保持部材８０は、板状の本体部８１と、本体部８１に形成された一対の保持孔８２にそれぞれ嵌め込まれた一対のレンズ８４と、を有している。
ここで、レンズ８４は、凸レンズ又はフレネルレンズとすることができる。
本体部８１の材料は特に限定されないが、本体部８１は、例えば段ボールにより構成されている。図２（ａ）に示すように、保持孔８２は、覗き窓１２と対応する位置に配置されている。
更に、図４（ａ）に示すように、本体部８１において、鼻よけ部１３と対応する部位には、切欠形状部８３が形成されている。
【００２１】
図２（ａ）及び図２（ｂ）に示すように、空洞１０ａ内には、例えば、少なくとも一方の面が黒色等の暗色に形成された暗色シート６０が設けられている。
図５（ａ）に示すように、暗色シート６０は、例えば、底面覆い部６１、前面覆い部６２、一対の側面覆い部６３、及び天面覆い部６４を備えて構成されている。
暗色シート６０において、上記の各部の境界線（図５（ａ）において点線で示されている部分）は、折り曲げ線となっている。暗色シート６０は、各折り曲げ線において９０度折り曲げられて（図５（ａ）において谷折りされて）、空洞１０ａ内に配置されている。すなわち、図２（ａ）及び図２（ｂ）に示すように、底面覆い部６１は底面部１８に沿って配置され、前面覆い部６２は接眼部１１及びレンズ保持部材８０に沿って配置され、側面覆い部６３は各側面部１６に沿って配置され、天面覆い部６４は天面部１４に沿って配置されている。なお、暗色シート６０は、暗色に形成された面が空洞１０ａの内方を向くように配置されている。
ここで、レンズ保持部材８０は、前面構成部３４（接眼部１１）と前面覆い部６２との間に挟持されている。
前面覆い部６２において、覗き窓１２と対応する位置には開口６７が、切欠形状部４５及び切欠形状部８３と対応する位置には切欠形状部４５が、それぞれ形成されている。
また、底面覆い部６１において、切欠形状部４４と対応する位置には、切欠形状部６５が形成されている。
このような暗色シート６０が空洞１０ａの内方を向くようにして空洞１０ａの周縁部に配置されていることにより、空洞１０ａ内を暗くすることができ、より一層、筐体１０内を覗き込む際の没入感を高めることができる。
暗色シート６０の材料は特に限定されないが、例えば、紙とすることができる。
なお、暗色シート６０は、図５（ｂ）に示す原反シート７０から、ミシン目に沿って切除予定部７１、７２、７３、７４を切除することによって得られる。
【００２２】
図６（ａ）に示すように、目周りケア材は、本実施形態の場合、美容シート９０である。一例として、美容シート９０は、基材９１と、基材９１内に収容されている発熱体９２と、を有している。
この場合、発熱体９２は、例えば、被酸化性金属の粒子、電解質及び水を含む発熱組成物の層と、この層を挟持する表裏の吸水性基材シートと、を含んで構成されている。基材９１は、例えば、発熱体９２の表裏にそれぞれ位置する一対の被覆シートにより構成されており、一部分又は全体が通気性を有している。
なお、一対の被覆シートのうち、使用者の顔側となる一方の被覆シートの通気性は、顔側とは反対側となる他方の被覆シートの通気性よりも高くなっていることが好ましい。
美容シート９０は、保管時には軟質包装材により構成された包装袋１１１（図６（ｂ））に封入されてシートパッケージ１１０の形態をなしている。使用時に包装袋１１１から美容シート９０が取り出されることによって、発熱体９２が発熱するとともに蒸気を発生し、この蒸気が通気性を有する基材９１から外部に放出されるようになっている。また、発熱体９２または基材９１は、皮膚浸透性の機能剤を含んで構成されていても良く、この場合には、美容シート９０から蒸気とともに機能剤を放散させることができる。
【００２３】
より詳細には、美容シート９０は、使用者の目と対応する一対のシート開口９３を有している。
また、各シート開口９３の周囲にそれぞれ発熱体９２が配置されている。また、例えば、２つの発熱体９２どうしの間において、基材９１の上部及び下部にはそれぞれスリット９４、９５が形成されており、使用者の顔の形状に沿って美容シート９０が変形しやすくなっている。このうち、スリット９５は、使用者の鼻と対応している。
【００２４】
ただし、本発明において、美容シート９０は、蒸気を放出しない発熱性のもの（温熱シート）であってもよいし、非発熱性（かつ蒸気を発生しないもの）であってもよい。このような美容シート９０としては、例えば、炭酸シートや不織布等により構成された基材シートが美容液、化粧水又は乳液等を含浸することにより構成された美容パックであることが挙げられる。
また、本発明において、目周りケア材は、美容シート９０に限らず、美容液、化粧水又は乳液等の目周りケア剤が軟質包装材により構成された包装袋又は容器（ボトル容器等）に封入されることにより構成されたものであってもよい。
【００２５】
図７（ａ）に示すように、筐体１０の前面側には、美容シート９０を保持するスリット１２１、１２２が形成されている。すなわち、例えば、接眼部１１の上部中央には、直線状に左右に延在するスリット１２１が形成されており、側方覆い部１５ｂには、直線状に上下に延在するスリット１２２が形成されている。なお、スリット１２１、１２２は、接眼部１１の表裏を貫通している。
図７（ｂ）に示すように、接眼部１１に沿って配置した美容シート９０の基材９１の一部分を、スリット１２１、１２２を介して押し込むことによって、接眼部１１及び側方覆い部１５ｂによって美容シート９０を保持させることができるようになっている。こうして、美容シート９０は、接眼部１１に沿う状態となってスリット１２１、１２２により保持される。
このように、目周りケア材は、シート体（美容シート９０）であり、保持体（筐体１０）は、シート体を保持するシート体保持部（スリット１２１、１２２）を備えている。
また、シート体保持部は、保持体（筐体１０）に形成されたスリット１２１、１２２である。そして、スリット１２１、１２２にシート体（美容シート９０）の一部分が押し込まれることによって、シート体が保持体に保持される。
このため、美容シート９０を手で押さえて支持することなく、美容シート９０を目周りに近接させて配置することができる。
【００２６】
なお、筐体１０には、美容シート９０を正しい向きで筐体１０に取り付けることを支援するための標示が付されていることが好ましい。すなわち、「美容シート９０において顔側となる面とは反対側の面が接眼部１１側を向くようにして、美容シート９０を筐体１０に取り付けて下さい」といった主旨の標示が筐体１０に（例えば接眼部１１に）付されている。
【００２７】
図２（ａ）に示すように、筐体１０内において、レンズ８４は、覗き窓１２と対応する位置に配置されている。また、暗色シート６０の開口６７は、覗き窓１２及びレンズ８４と対応する位置に配置されている。
したがって、携帯情報端末２０の表示画面２１が収容部構成部３６の開口４７を介して覗き窓１２側を向くようにして、被視体保持部１９内に携帯情報端末２０が配置された状態において、覗き窓１２から筐体１０の内部をのぞき込むことにより、レンズ８４を介して表示画面２１を視認可能となる。使用者がレンズ８４を介して筐体１０内の表示画面２１を拡大視することによって、より深い没入感を生じさせることができる。
【００２８】
図８は、表示画面２１に表示される画像１３１の一例を示したものである。この画像１３１においては、例えば、第１画像１３１ａと第２画像１３１ｂとが左右に並んで配置されており、これら第１画像１３１ａ及び第２画像１３１ｂを左右の眼で同時に視ることにより、使用者には立体的な画像（三次元画像）として認識されるようになっている。このような画像１３１を三次元画像として認識すべく使用者が眼の焦点の調節を行うことによって、使用者の眼球運動が促進される。
【００２９】
なお、目周りケア装置１００の使用前の状態においては、保持体（筐体１０）と目周りケア材（美容シート９０）とが同梱されていることが好ましい。すなわち、目周りケア装置１００は、保持体（筐体１０）と目周りケア材（美容シート９０）とが包装材（不図示）内に同梱されることにより構成されたキット（セット品）であることが好ましい。
より詳細には、このキットには、例えば、筐体構成シート３０又は原反シート５０と、暗色シート６０又は原反シート７０と、レンズ保持部材８０と、美容シート９０と、が同梱されている。
平坦状の筐体構成シート３０又は原反シート５０に代えて、第２天面構成部３５が第１天面構成部３１の内面に対して接着されているとともに、第２底面構成部３７が第１底面構成部３３の内面に対して接着されている状態のループ状の筐体構成シート３０が、キットに同梱されていてもよい。
【００３０】
次に、本実施形態に係る目周りケア方法を説明する。
この目周りケア方法においては、図７（ｂ）に示すように筐体１０の接眼部１１に沿って美容シート９０を装着した状態で、使用者に、美容シート９０のシート開口９３、筐体１０の覗き窓１２、レンズ８４及び開口６７を介して表示画面２１の画像１３１を視させる。
これにより、美容シート９０の発熱体９２が発熱することで使用者の目周りを温めて血行促進を図ることができるとともに、浸透性の機能剤を目周りに作用させることができ、且つ、それと並行して眼球運動を行わせることができる。
よって、目周りの近傍に美容シート９０を配置することによる美容効果と、被視体を見せて眼球運動を促進することによる美容効果と、が相乗的に得られるようにできるとともに、眼筋の強化によって美容効果が長期に亘り持続することが期待できる。
【００３１】
このように、本実施形態に係る目周りケア方法は、使用者に視られる被視体（携帯情報端末２０）を保持する保持体（筐体１０）を用いて使用者の目周りのケアを行う方法であって、保持体は、使用者の眼と対応する覗き窓１２を有する面状の接眼部１１と、接眼部１１と対向配置され被視体を保持する被視体保持部１９と、を備えている。そして、当該方法は、目周りのケア機能を有する目周りケア材（美容シート９０）を用いた目周りのケアと並行して、被視体保持部１９に保持されている被視体を接眼部１１の一対の覗き窓１２を介して視させる工程を備えている。
【００３２】
以上のような実施形態によれば、目周りケア装置１００は、使用者に視られる被視体を保持する保持体（筐体１０）と、目周りのケア機能を有する目周りケア材（美容シート９０）と、を備えている。よって、目周りケア材による美容効果と、被視体を見せて眼球運動を促進することによる美容効果と、が相乗的に得られるので、より効果的な目周りのケアが可能となることを期待できる。
【００３３】
以下、第１の実施形態の変形例を説明する。
【００３４】
＜第１の実施形態の変形例１＞
図９（ａ）は第１の実施形態の変形例１に係る目周りケア装置１００の保持体としての筐体１０の正面図であり、図９（ｂ）は第１の実施形態の変形例１の筐体１０が美容シート９０を保持している状態を示す正面図である。
上記の第１の実施形態では、スリット１２２が直線状に形成されているのに対して、本変形例においては、図９（ａ）に示すように、スリット１２２が曲線状に形成されている。より詳細には、スリット１２２がＳ字状に延在している。
本変形例の場合、図９（ｂ）に示すように曲線状（例えばＳ字状）のスリット１２２に基材９１を押し込むことによって、基材９１が受ける様々な方向への引っ張りに対する抵抗力が得られるので、より安定的に、スリット１２２によって美容シート９０を保持させることが可能となる。
【００３５】
なお、本変形例の場合、接眼部１１にはスリット１２１が形成されていなくてもよいし、接眼部１１にもスリット１２１が形成されていてもよい。スリット１２１が形成されている場合、スリット１２１は直線状であってもよいし、Ｓ字状などの曲線状であってもよい。
【００３６】
＜第１の実施形態の変形例２＞
図１０（ａ）は第１の実施形態の変形例２に係る目周りケア装置１００の保持体としての筐体１０の正面図であり、図１０（ｂ）は第１の実施形態の変形例２の筐体１０が美容シート９０を保持している状態を示す正面図である。
上記の第１の実施形態では、スリット１２１、１２２が１本の直線状に形成されているのに対して、本変形例においては、図１０（ａ）に示すように、スリット１２１、１２２が互いに交差する複数の直線状のスリットの組み合わせにより構成されている。より詳細には、スリット１２１、１２２は、例えば、それぞれ十字状に形成されている。
本変形例の場合、図１０（ｂ）に示すように交差する複数の直線状のスリットの組み合わせにより構成された（例えば十字状の）スリット１２１、１２２にそれぞれ基材９１を押し込むことによって、基材９１が受ける様々な方向への引っ張りに対する抵抗力が得られるので、より安定的に、スリット１２２によって美容シート９０を保持させることが可能となる。  
【００３７】
〔第２の実施形態〕
図１１は第２の実施形態に係る目周りケア装置１００の模式的な斜視図である。
本実施形態の場合、筐体１０が複数のシートパッケージ１１０の包装箱となっている。したがって、筐体１０に複数のシートパッケージ１１０が収容された状態で、輸送や、販売店における陳列などが可能となっている。
筐体１０は、例えば、直方体状に形成されており、一方の主面１４１には、それぞれミシン目に沿って切除される一対の円形の切除予定部１４２が形成されている。これら切除予定部１４２が切除されることによって、筐体１０に覗き窓が形成されるようになっている。また、筐体１０の内部には、図示しない被視体保持部が形成されており、該被視体保持部によって携帯情報端末２０等の被視体を保持できるようになっている。
このように、本実施形態の場合、保持体は筐体１０であり、保持体（筐体１０）に目周りケア材（美容シート９０）が収容されている。
筐体１０の一端部は、開閉蓋１４３により構成されており、開閉蓋１４３を開くことによって、筐体１０内からシートパッケージ１１０を取り出し可能となっている。
なお、筐体１０には、切除予定部１４２に代えて、レンズが設けられていても良い。
【００３８】
＜第２の実施形態の変形例＞
図１２は第２の実施形態の変形例に係る目周りケア装置１００の側断面図である。
本変形例の場合、筐体１０は第１実施形態と同様であり、この筐体１０の空洞１０ａ内に複数のシートパッケージ１１０が収容されている。
【００３９】
〔第３の実施形態〕
図１３（ａ）は第３の実施形態に係る目周りケア装置１００の保持体としての筐体１０の斜視図であり、図１３（ｂ）は第３の実施形態の筐体１０が美容シート９０を保持している状態を示す下面図である。
本実施形態に係る目周りケア装置１００は、以下に説明する点で、上記の第１の実施形態に係る目周りケア装置１００と相違しており、その他の点では、上記の第１の実施形態に係る目周りケア装置１００と同様に構成されている。
【００４０】
更に、接眼部１１の横幅方向（左右方向）における中央部が被視体保持部１９（図２（ａ）、図２（ｂ）参照）側に向けて窪んでいる。
これにより、接眼部１１は、顔にフィットしやすい形状となっている。なぜなら、一般的に、顔は中央部が隆起しているためである。よって、美容シート９０を、目周りを含む顔に対して良好にフィットさせることが可能となる。
なお、本実施形態の場合、接眼部１１の横幅方向における中央部が被視体保持部１９側に向けて窪んでいるとは、例えば、接眼部１１の横幅方向における中央部が背面部１７側に向けて窪んでいるということと同義である。
本実施形態の場合、接眼部１１において一対の覗き窓１２どうしの間の部分が、被視体保持部１９（図２（ａ）、図２（ｂ）参照）側に向けて窪んでいる。
より詳細には、接眼部１１は、互いに交差する左右一対の平面１１ａ、１１ｂを含んで構成されており、これら平面１１ａ、１１ｂどうしの境界線（交差線）が一対の覗き窓１２どうしの間に位置している。したがって、接眼部１１は、横幅方向における中心に向けて、徐々に被視体保持部１９に向けて窪んでいる。
【００４１】
＜第３の実施形態の変形例＞
図１４（ａ）は第３の実施形態の変形例に係る目周りケア装置１００の保持体としての筐体１０の斜視図であり、図１４（ｂ）は第３の実施形態の変形例の筐体１０が美容シート９０を保持している状態を示す下面図である。
【００４２】
本変形例においても、接眼部１１の横幅方向（左右方向）における中央部が被視体保持部１９（図２（ａ）、図２（ｂ）参照）側に向けて窪んでいる。すなわち、接眼部１１において一対の覗き窓１２どうしの間の部分が、被視体保持部１９側に向けて窪んでいる。
より詳細には、接眼部１１は、左右方向（水平方向）における中央部が被視体保持部１９側に向けて窪んだ凹曲面となっている。
これにより、接眼部１１は、顔にフィットしやすい形状となっており、美容シート９０を目周りを含む顔に対して良好にフィットさせることが可能である。
【００４３】
〔第４の実施形態〕
図１５は第４の実施形態に係る目周りケア装置１００の下面図である。
本実施形態に係る目周りケア装置１００は、以下に説明する点で、上記の第３の実施形態の変形例に係る目周りケア装置１００と相違しており、その他の点では、上記の第３の実施形態の変形例に係る目周りケア装置１００と同様に構成されている。
【００４４】
本実施形態の場合、接眼部１１の外面には、スポンジや綿などのクッション部材１８０が設けられている。このため、美容シート９０を顔に対して更に良好にフィットさせることができる。
クッション部材１８０において、覗き窓１２と対応する部位には、開口１８１が形成されている。このため、使用者は、開口１８１を介して筐体１０の内部を視認可能である。
なお、第１及び第２の実施形態及びそれらの変形例や、第３の実施形態においても、接眼部１１の外面にクッション部材１８０が設けられていることにより、同様の効果が得られる。
【００４５】
本発明は上述の実施形態及び各変形例に限定されるものではなく、本発明の目的が達成される限りにおける種々の変形、改良等の態様も含む。
【００４６】
例えば、上記においては、目周りケア材を目周りに配置しながら、使用者に被視体を視させる例を説明したが、目周りケア材を先に使用し、その目周りケア材が含有する機能剤が皮膚に浸透するタイミングに合わせて表示画面２１における画像を変化させることで、上記と同様の相乗効果が得られるようにしてもよい。
したがって、例えば、筐体１０と同梱されている美容液、化粧水又は乳液等の目周りケア剤を使用者の目周りの皮膚に塗布した後で、使用者に筐体１０の覗き窓１２を通して表示画面２１を視させるようにしてもよい。
この場合も、目周りケア材を用いた目周りのケアと並行して被視体保持部に保持されている被視体を視させることになる。
【００４７】
また、上記の各実施形態は、本発明の主旨を逸脱しない範囲で、適宜に組み合わせることができる。
【００４８】
上記実施形態は、以下の技術思想を包含する。
＜１＞使用者に視られる被視体を保持する保持体と、
目周りのケア機能を有する目周りケア材と、
を備える目周りケア装置。
＜２＞前記保持体は、
使用者の眼と対応する覗き窓を有する面状の接眼部と、
前記接眼部と対向配置され、前記被視体を保持する被視体保持部と、
を備えている＜１＞に記載の目周りケア装置。
＜３＞前記接眼部の横幅方向における中央部が前記被視体保持部側に向けて窪んでいる＜２＞に記載の目周りケア装置。
＜４＞前記目周りケア材は、シート体であり、
前記保持体は、前記シート体を保持するシート体保持部を備えている＜１＞から＜３＞のいずれか一項に記載の目周りケア装置。
＜５＞前記シート体保持部は、前記保持体に形成されたスリットである＜４＞に記載の目周りケア装置。
＜６＞前記シート体は、使用者の眼と対応する一対のシート開口を有する＜５＞に記載の目周りケア装置。
＜７＞前記保持体と前記目周りケア材とが同梱されている＜１＞から＜６＞のいずれか一項に記載の目周りケア装置。
＜８＞前記保持体は筐体であり、
前記保持体に前記目周りケア材が収容されている＜１＞から＜６＞のいずれか一項に記載の目周りケア装置。
＜９＞前記被視体は、画像表示体である＜１＞から＜８＞のいずれか一項に記載の目周りケア装置。
＜１０＞使用者に視られる被視体を保持する保持体を用いて前記使用者の目周りのケアを行う方法であって、
前記保持体は、
使用者の眼と対応する覗き窓を有する面状の接眼部と、
前記接眼部と対向配置され、前記被視体を保持する被視体保持部と、
を備えており、
当該方法は、目周りのケア機能を有する目周りケア材を用いた目周りのケアと並行して、前記被視体保持部に保持されている前記被視体を前記接眼部の前記覗き窓を介して視させる工程を備えている目周りケア方法。
＜１１＞前記保持体は、前記接眼部と、前記接眼部と対向して配置された背面部と、左右一対の側面部と、天面部と、底面部と、を有する直方体形状の筐体である上記いずれか一項に記載の目周りケア装置。
＜１２＞前記目周りケア材は、温熱シート、蒸気を放出する温熱シート、炭酸シート、又は美容パックである上記いずれか一項に記載の目周りケア装置。
＜１３＞前記スリットは、直線状に形成されている上記いずれか一項に記載の目周りケア装置。
＜１４＞前記スリットは、互いに交差する複数の直線状のスリットの組み合わせにより構成されている上記いずれか一項に記載の目周りケア装置。
＜１５＞前記スリットは、十字状に形成されている＜１４＞に記載の目周りケア装置。
＜１６＞前記スリットは、曲線状に形成されている上記いずれか一項に記載の目周りケア装置。
＜１７＞前記スリットは、Ｓ字状に形成されている＜１６＞に記載の目周りケア装置。
＜１８＞前記スリットに前記シート体の一部分が押し込まれることによって、前記シート体が前記保持体に保持される上記いずれか一項に記載の目周りケア装置。
＜１９＞前記接眼部は、互いに交差する一対の平面を含んで構成されており、これら平面どうしの境界線が前記接眼部の横幅方向における中央部に位置している上記いずれか一項に記載の目周りケア装置。
＜２０＞前記接眼部は、当該接眼部の横幅方向における中央部が前記被視体保持部側に向けて窪んだ凹曲面となっている上記いずれか一項に記載の目周りケア装置。
＜２１＞前記接眼部の外面には、スポンジ又は綿であるクッション部材が設けられている上記いずれか一項に記載の目周りケア装置。
＜２２＞前記目周りケア材は、シート体であり、前記接眼部に沿う状態となって前記シート体保持部により保持される上記いずれか一項に記載の目周りケア装置。
【符号の説明】
【００４９】
１０  筐体
１０ａ  空洞
１１  接眼部
１１ａ、１１ｂ  平面
１２  覗き窓
１３  鼻よけ部
１４  天面部
１５  覆い部
１５ａ  上方覆い部
１５ｂ  側方覆い部
１６  側面部
１７  背面部
１８  底面部
１９  被視体保持部
２０  携帯情報端末（被視体、画像表示体）
２１  表示画面
３０  筐体構成シート
３１  第１天面構成部
３２  背面構成部
３３  第１底面構成部
３４  前面構成部
３５  第２天面構成部
３６  収容部構成部
３７  第２底面構成部
３８  側面構成部
３９  差し込み片
４０、４１、４２  折り曲げ片
４３  開口
４４、４５  切欠形状部
４６  スリット
４７  開口
４８  切欠形状部
５０  原反シート
５１、５２、５３、５４、５５  切除予定部
６０  暗色シート
６１  底面覆い部
６２  前面覆い部
６３  側面覆い部
６４  天面覆い部
６５、６６  切欠形状部
６７  開口
７０  原反シート
７１、７２、７３、７４  切除予定部
８０  レンズ保持部材
８１  本体部
８２  保持孔
８３  切欠形状部
８４  レンズ
９０  美容シート（シート体）
９１  基材
９２  発熱体
９３  シート開口
９４、９５  スリット
１００  目周りケア装置
１１０  シートパッケージ
１１１  包装袋
１２１、１２２  スリット
１３１  画像
１３１ａ  第１画像
１３１ｂ  第２画像
１４１  主面
１４２  切除予定部
１４３  開閉蓋
１８０  クッション部材
１８１  開口
【図１】
2018023620.tif 000003
【図２】
2018023620.tif 000004
【図３】
2018023620.tif 000005
【図４】
2018023620.tif 000006
【図５】
2018023620.tif 000007
【図６】
2018023620.tif 000008
【図７】
2018023620.tif 000009
【図８】
2018023620.tif 000010
【図９】
2018023620.tif 000011
【図１０】
2018023620.tif 000012
【図１１】
2018023620.tif 000013
【図１２】
2018023620.tif 000014
【図１３】
2018023620.tif 000015
【図１４】
2018023620.tif 000016
【図１５】
2018023620.tif 000017